Podtech/llm-jp-corpus-v4-ja_patent huggingface dataset:
【手続補正書】
【提出日】平成17年6月10日(2005.6.10)
【手続補正１】
【補正対象書類名】明細書
【補正対象項目名】特許請求の範囲
【補正方法】変更
【補正の内容】
【特許請求の範囲】
【請求項１】
特定微生物の核酸の中に存在する特異的塩基配列に対して相補的塩基配列を有するDNAに蛍光物質で標識したものを蛍光標識プローブとし、該蛍光標識プローブと検査対象試料とをｉｎ  ｓｉｔｕハイブリダイゼーションして調製したものを検体とし、該蛍光標識プローブに標識した蛍光物質に対応した励起光を該検体に照射し、蛍光標識プローブ由来の検体からの蛍光強度を受光手段により検出することで特定微生物の数を自動判別する装置を用いる特定微生物を検出又は計測する方法。
【請求項２】
特定微生物の核酸の中に存在する特異的塩基配列に対して相補的塩基配列を有するDNAに蛍光物質で標識したものを蛍光標識プローブとし、該蛍光標識プローブと検査対象試料とをｉｎ  ｓｉｔｕハイブリダイゼーションして調製したものを検体とし、該蛍光標識プローブ由来の検体からの蛍光を検出する装置において、
該検体に照射する励起光の照射面積が、少なくとも微生物１細胞の面積以上の大きさを持つように構成し、励起光照射部、受光部及び検体積載部の少なくとも一つが、相対的に繰り返し移動することで、検体全体の蛍光強度を計測するように構成した特定微生物の数を自動判別する装置を用いる特定微生物を検出又は計測する方法。
【請求項３】
特定微生物の核酸の中に存在する特異的塩基配列に対して相補的塩基配列を有するDNAに蛍光物質で標識したものを蛍光標識プローブとし、該蛍光標識プローブと検査対象試料とをｉｎ  ｓｉｔｕハイブリダイゼーションして調製したものを検体とし、該蛍光標識プローブ由来の検体からの蛍光を検出する装置において、受光部から得られた情報を、積算する積算装置もしくは、グルーピング後に２値化する２値化演算装置をもつことにより判別を行う、前記請求項１または２記載の装置を用いる特定微生物を検出又は計測する方法。
【請求項４】
前記核酸をＲＮＡとした前記請求項１〜３いずれか１項記載の方法。
【請求項５】
前記検査対象試料が、試料をメンブレンフィルター濾過後寒天平板で培養し形成したマイクロコロニーである前記請求項１〜４いずれか１項記載の方法。
【手続補正書】
【提出日】平成17年3月22日(2005.3.22)
【手続補正１】
【補正対象書類名】明細書
【補正対象項目名】全文
【補正方法】変更
【補正の内容】
【書類名】      明細書
【発明の名称】  緑色玄米の炊飯加工方法
【特許請求の範囲】
【請求項１】  玄米の通過路に対して設けた色感知装置を備えた選別装置により、玄米を茶色玄米と緑色玄米とに選別し、得られた緑色玄米に対し、表面の一部に傷を与えた後、炊飯することを特徴とする緑色玄米の炊飯加工方法。
【請求項２】  緑色玄米に対し、水と、塩、蜜、果実酢の内のいずれか又はこれらを組み合わせて配合したものを作用させた後、炊飯する請求項１記載の緑色玄米の炊飯加工方法。
【請求項３】  塩が天然塩であり、蜜が蜂蜜であり、果実酢がリンゴ酢又はリンゴ酢と他の果実酢との混合酢である請求項２記載の緑色玄米の炊飯加工方法。
【請求項４】  緑色玄米に対し、天然塩0.03〜１％、蜂蜜0.03〜１％及びリンゴ酢0.03〜１％を溶解した水溶液を噴霧した後、炊飯する請求項２又は３記載の緑色玄米の炊飯加工方法。
【請求項５】  緑色玄米に代えて請求項１記載の選別装置により緑色玄米を活青米と死青米とに選別して得られた活青米を用いる請求項２〜４のいずれかに記載の緑色玄米の炊飯加工方法。
【請求項６】  緑色玄米に代えて請求項１記載の選別装置により緑色玄米を活青米と死青米とに選別して得られた死青米を用いる請求項２〜４のいずれかに記載の緑色玄米の炊飯加工方法。
【発明の詳細な説明】
【０００１】
【発明の属する技術分野】
本発明は、玄米のうち栄養価に富む緑色玄米あるいはこれから選別して得られる活青米や死青米（以下これらを総称する場合も「緑色玄米」と記載する。）の炊飯加工方法に関する。
【０００２】
【従来の技術】
米は、収穫され、脱穀、籾すり、選別等の工程を経て、玄米又はそれを精米された精白米が消費されている。通常、消費者によって炊飯消費されているのは、白米であって、玄米は炊飯して食すには、適していないとされてきた。炊飯し難いこともその一因であるが、舌触りや味覚的に不十分なことも否めない要因であった。
【０００３】
しかし、玄米には緑色を呈する緑色玄米があり、この緑色玄米には、成熟した米の中に含まれる小米の中に多く含まれるものと、未成熟の米を収穫(早刈り)した場合の大粒のものとがある。小米や未成熟米からなる緑色玄米はこれまで分別されることなく、飼料としたり、菓子類の原料として用いるのがこれまでの利用方法(用途)であった。
【０００４】
【発明が解決しようとする課題】
そこで本発明者は、従来、炊飯して食することのなかった緑色玄米について、容易な炊飯と、食味の向上等を可能にすることを検討した。緑色玄米のうち特に活青米と死青米の選別・炊飯加工方法について検討したのである。
【０００５】
【課題を解決するための手段】
上記課題を検討した結果、玄米の通過路に対し、色感知装置を備えた選別装置(色選機)を設け、玄米中の緑色玄米を活青米と死青米とに選別捕集することを特徴とする緑色玄米の選別方法を用いた。色感知装置を備えた選別装置(色選機)の使用については、活青米と死青米の選別に用いられるのに適しているが、本発明ではセンサーの投光角度の調整によって茶色玄米と緑色玄米とに選別を行い、かつ、緑色玄米を透明性を有する活青米と緑濁した死青米に選別するのである。この選別は測光方式によるものが好ましく、常用されている選別装置(色選機)の使用によって、センサーの投光角度の調整によって茶色玄米と緑色玄米とに選別を行うと共に、緑色玄米と活青米と死青米とに分別するのがよい。
【０００６】
本発明では玄米のうち緑色玄米に対し、まず表面の一部に傷を与えた後、炊飯することを特徴とする緑色玄米の炊飯加工方法とした。緑色玄米に対し、表面の一部に傷を与え、水と、塩、蜜、果実酢又はリンゴ酢と他の果実酢との混合酢を作用させた後、炊飯することを特徴とする緑色玄米の炊飯加工方法である。ここで用いる水は不純物の混入が少ない、天然の湧水や一般に分子間に不純物が介在して大きい分子構造となっているとされる形態となっていない、小さい分子ものと称されるものが好ましい。
【０００７】
ここにいう塩は、イオン交換膜法で得られる通常市販されているものよりは、ミネラル等に富む天然塩(自然塩)が好ましい。天然塩は炊きあがった飯の甘みを増す作用がある。蜜には蜂蜜と糖蜜がある。飯に粘りを付与させる作用を得るためと栄養価を高めるために蜂蜜を用いることが好ましい。更に、果実酢としては、柿酢、梅酢、リンゴ酢等挙げることができるが、香味や酸化防止の面からリンゴ酢、又はリンゴ酢と他の果実酢との混合酢の配合が特に好ましい。
【０００８】
これらは緑色玄米、特に活青米に対し、天然塩0.03〜１％、蜂蜜0.03〜１％及びリンゴ酢0.03〜１％を溶解した水溶液を噴霧した後、炊飯するとよい。
【０００９】
【発明の実施の形態】
緑色玄米として、多く存在する小粒玄米を色感知装置を備えた選別装置(色選機)の使用によって、センサーの投光角度、すなわち、玄米から着色粒(茶色以外の色)を取り出す選別方法の調整によって茶色玄米と緑色玄米とに選別を行い、かつ、緑色玄米を活青米と死青米に分別した後、その活青米600Kgを用いて下記のようにした。
【００１０】
緑色玄米600Kgを研磨機により表面のみに傷付けた。次に、天然の湧水４リットルをほぼ36℃に温め、これに蜂蜜４cc、天然塩３g、柿酢、梅酢及びリンゴ酢を含む液(パイロゲンC、赤塚物産株式会社製)４ccを加えた液を調製し、この液を霧状にして前記緑色玄米600Kgに約６時間混米しながら噴霧した。その後、約３時間混米を続けて乾燥させた。
【００１１】
このように調製して得られた緑色玄米を市販の炊飯器で通常の炊飯をするのと同様に炊いた。玄米を炊飯する場合は、通常３時間から６時間水に浸漬しなければならないが、本発明によると浸漬することなく炊飯できる。また、ぱさぱさ感のない食感のよい、粘り、甘味のある腐敗しにくい飯が得られた。
【００１２】
成熟期よりも約１週間から２週間位時期を早く収穫した緑色玄米の多い早米を使用した。選別装置(色選機)の使用によって、活青米と死青米に分別した後、その活青米600Kgと死青米600Kgを用いて上記実施例と同様の処理を行った。
【００１３】
その結果、従来、炊飯して食することのなかった緑色玄米を容易に炊飯可能にすると共に、美味な飯となった。従来、玄米は炊飯し難い上に「おにぎり」としては不向きであったが、本発明により消化のよい美味しい「おにぎり」ができることとなった。
【００１４】
【発明の効果】
本発明によって、従来、炊飯して食すのには、適していないとされてきた緑色玄米を炊飯し易くし、舌触りや味覚的に優れた飯として炊飯できることとなった。従来、玄米を炊飯したものは、表面の硬さのために咀嚼を繰り返す必要があり、胃腸の消化不良を起こすことがあったが、本発明によって得られた飯はそのようなこともなく、しかも、ビタミン類、ミネラル等の栄養価に優れた健康食品として最適なものとなっている。更に、死青米を使用した飯は、繊維質が多く、食品として最適なものとなっている。
【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
床面に敷設されたレール上を前後に移動可能な架台上に載置されたガントリを装備したＸ線ＣＴ造置において、天板を有する他システムの寝台と、この寝台とは異なる位置の上記天板と対向する位置に設けられ上記天板の位置を検出する検出手段と、上記天板の初期状態に対する移動量検出指令を前記検出手段に与える第一指令手段と、上記架台と上記天板を初期状態と同じ位置関係となるように上記架台を移動する指令を与える第二指令手段と、上記第一指令手段によって与えられた移動量検出指令により前記天板の位置の検出結果を表示する表示手段と、を備えたことを特徴とするＸ線ＣＴ装置。
【請求項２】
前記表示手段は、前記第二指令手段により前記架台を移動したとき、前記第一指令手段による前記検出手段の検出結果と比較することができるように前記架台の移動結果を併せて表示することを特徴とする請求項１に記載のＸ線ＣＴ装置。
【手続補正２】
【補正対象書類名】明細書
【補正対象項目名】００１４
【補正方法】変更
【補正の内容】
【００１４】
続いて、Ｘ線ＣＴ装置を使用してＩＶＲで実施した血管塞栓等の効果確認を行なう。まず、第一指令手段７ａを操作して初期化状態に対する天板８ａの移動量を測定する。この第一指令手段７ａによる検出手段１の検出結果は上述したように表示手段に表示され、この測定が完了したことをこの表示によって知ることができる。そして、第二指令手段７ｂを操作して架台３を前後に移動させ、初期化状態と同じ天板８ａとガントリ４との位置関係にするが、このとき上述したように第二指令手段７ｂにより架台３を移動したとき、第一指令手段７ａによる検出手段１の検出結果と比較することができるように架台３の移動結果を表示手段に併せて表示するようにしているので、これを確認できる。その後、再度スキャノグラム撮影を実施する必要なく、既に撮影したスキャノグラム像を利用してＣＴ撮影を実施する。
【手続補正３】
【補正対象書類名】明細書
【補正対象項目名】００１５
【補正方法】変更
【補正の内容】
【００１５】
上述したＸ線ＣＴ装置は、天板８ａを有する他システムの寝台８と、この寝台８とは異なる位置の天板８ａと対向する位置に天板８ａの位置を検出する検出手段１を設けたため、他のシステムの寝台８を兼用して用いても検出手段１に相当するものを寝台８内に取り付けることなく、検出手段１を容易に付設することができ、寝台８の操作性が低下せず、かつ位置決め良好なＣＴ検査が可能となる。また、循環器検査用Ｘ線検査装置用の寝台８に限らず、他のメーカーの寝台８であっても同様に検出手段１を容易に付設することができる。従って、同一部屋内にＸ線ＣＴ装置を含む複数のシステムを構成した場合でも、寝台８を共用化してスペースの有効活用を図ると共に、全体を安価に構成することができる。
【手続補正書】
【提出日】平成16年12月14日(2004.12.14)
【手続補正１】
【補正対象書類名】明細書
【補正対象項目名】請求項１
【補正方法】変更
【補正の内容】
【請求項１】
ファスナーテープ２の一側縁部１２にファスナーエレメント３を装着し、該ファスナーエレメント３の装着部５の近傍を縫糸６により縫着してなることを特徴とするスライドファスナー。
【手続補正２】
【補正対象書類名】明細書
【補正対象項目名】００１３
【補正方法】変更
【補正の内容】
【００１３】
【課題を解決するための手段】
前記の目的を達成するため、この発明のうち請求項１記載の発明は、ファスナーテープ２の一側縁部１２にファスナーエレメント３を装着し、ファスナーエレメント３を取り付けた部分のファスナーテープ２は一重でも二重でもよく、ファスナーエレメント３を取り付ける装着部５の近傍におけるファスナーテープ２を一連の縫糸６によって縫着したスライドファスナーを主な構成とするものである。
【手続補正３】
【補正対象書類名】明細書
【補正対象項目名】００３３
【補正方法】変更
【補正の内容】
【００３３】
この発明のうち請求項１記載の発明は、ファスナーテープの一側縁部にファスナーエレメントを装着し、ファスナーエレメントの装着部の近傍を縫糸により縫着することによって、電磁波シールド性能を備えたスライドファスナーを簡単に作製でき、かつ製品コストを削減でき、しかもファスナーストリンガーを被着物に取り付けたときでも、湾曲したファスナーテープにより波打ち現象すなわち縫製皺が生じない品質のよいスライドファスナーを安価に提供できる効果がある。
【手続補正書】
【提出日】平成17年6月16日(2005.6.16)
【手続補正１】
【補正対象書類名】明細書
【補正対象項目名】請求項３
【補正方法】変更
【補正の内容】
【請求項３】
ディスプレイ制御手段は、予め設定した時間条件あるいは遊技者ごとの遊技履歴に対応する遊技条件の少なくとも一方を満足するまでの途中経過情報を表示させる機能を備えた請求項１または２に記載の情報提供システム。
【手続補正２】
【補正対象書類名】明細書
【補正対象項目名】０００３
【補正方法】変更
【補正の内容】
【０００３】
【発明が解決しようとする課題】
遊技場からのお知らせなどは、遊技場に行けばいつでも見ることができるため、その情報を見ることを目的に、来店する遊技者は少なかった。また、来店している遊技者が情報を見ることができるまで、遊技するということもなかった。そのため、遊技者に有利な情報を表示しても、大して遊技台の稼動率を上げることはできなかった。例えば、開店直後や、閉店間際などには、遊技台が空いていることが多かったが、上記のような情報提供をしても、空きを埋めることができなかったのが現状である。
この発明の目的は、遊技場へ、遊技者を呼んだり、来店した遊技者に長く遊技してもらったりすることによって遊技台の稼働率を上げることができる遊技者向けの情報を提供するシステムを実現することである。
【手続補正３】
【補正対象書類名】明細書
【補正対象項目名】０００５
【補正方法】変更
【補正の内容】
【０００５】
第２の発明は、判定手段が、あらかじめ設定した時間条件あるいは遊技条件の少なくとも一方を遊技者が満足したと判定したとき、ディスプレイ制御手段は、上記遊技者が遊技している遊技台に対応するディスプレイに、遊技者向け情報が表示可能状態であることを表示させる機能を備えた点に特徴を有する。
第３の発明は、ディスプレイ制御手段が、予め設定した時間条件あるいは遊技者ごとの遊技履歴に対応する遊技条件の少なくとも一方を満足するまでの途中経過情報を表示させる機能を備えた点に特徴を有する。
【手続補正４】
【補正対象書類名】明細書
【補正対象項目名】００１５
【補正方法】変更
【補正の内容】
【００１５】
さらに、上記ディスプレイ制御手段８は、上記情報画面１１や１２を、遊技者からの表示指令が入力されてから、所定の時間に限って表示するようにしている。なお、所定の時間に限って表示するというものには、遊技者が、表示ボタンなど押している間だけ、表示するというものも含まれる。これにより、条件を満たした遊技者に対し、限られた時間だけ、有利な情報を提示することができる。したがって、従来のように、遊技者にとって有利な情報であっても、常時表示されている場合と比べて、情報に稀少価値が生まれ、遊技者を遊技台へ引きつけられるようになることを期待できる。さらに、条件を満たした遊技者以外は、その情報を見ることが困難なため、上記情報を表示された遊技者は、他の遊技者に対して優越感を得ることもできる。しかも、あるときに情報を提示されなかった遊技者も、一定の条件さえ満たせば、同様に遊技者向け情報を見ることができるので、それを励みに、遊技を続ける可能性がある。
【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
互いに対向する一対の磁極と、この一対の磁極の互いに対向する面側に形成された環状の強磁性体からなる突起と、上記一対の磁極を支持する柱状の継鉄とを備え、上記一対の磁極の互いに対向する面側の空間に静磁場を発生する磁気共鳴イメージング装置の静磁場発生装置において、
上記磁極を構成する部材の磁気特性は、この磁極の少なくとも一部が他の部分と異なることを特徴とする磁気共鳴イメージング装置用の静磁場発生装置。
【請求項２】
請求項１記載の静磁場発生装置において、上記環状の突起を構成する部材の磁気特性は、この環状突起の少なくとも一部が他の部分と異なることを特徴とする静磁場発生装置。
【請求項３】
請求項１又は２記載の静磁場発生装置において、上記磁極及び環状突起の柱状継鉄に面する側の部分と、上記磁極及び環状突起の柱状継鉄に面する側とは反対側に位置する部分とは、互いに磁気特性が異なることを特徴とする静磁場発生装置。
【請求項４】
請求項１又は２記載の静磁場発生装置において、上記磁極及び環状突起の材料に、飽和磁化の異なる複数の材料を使用して、上記磁極及び環状突起の柱状継鉄に面する側の部分と、上記磁極及び環状突起の柱状継鉄に面する側とは反対側に位置する部分とは、互いに磁気特性が異なるようにしたことを特徴とする静磁場発生装置。
【請求項５】
請求項１又は２記載の静磁場発生装置において、上記磁極及び環状突起の柱状継鉄に面する側の部分と、上記磁極及び環状突起の柱状継鉄に面する側とは反対側に位置する部分とで、磁化方向が互いに異方性を有する材料を使用することを特徴とする静磁場発生装置。
【請求項６】
互いに対向する一対の磁極と、この一対の磁極の互いに対向する面側に形成された環状の強磁性体からなる突起と、上記一対の磁極を支持する柱状の継鉄とを備え、上記一対の磁極の互いに対向する面側の空間に静磁場を発生する磁気共鳴イメージング装置の静磁場発生装置において、
上記柱状継鉄の上記空間側の面に配置され、柱状継鉄の面方向に平行な磁化容易軸を有する強磁性体を備えることを特徴とする磁気共鳴イメージング装置用の静磁場発生装置。
【請求項７】
互いに対向する一対の磁極と、この一対の磁極の互いに対向する面側に形成された環状の強磁性体からなる突起とを備え、上記一対の磁極の互いに対向する面側の空間に静磁場を発生する、磁気共鳴イメージング装置の静磁場発生装置において、
上記一方の磁極に形成される環状突起と、他方の磁極に形成される環状突起は、互いに磁気特性が異なることを特徴とする磁気共鳴イメージング装置用の静磁場発生装置。
【請求項８】
請求項７記載の静磁場発生装置において、上記環状突起の材料に、飽和磁化の異なる複数の材料を使用して、上記一方の磁極に形成される環状突起と、他方の磁極に形成される環状突起とが、互いに磁気特性が異なるようしたことを特徴とする静磁場発生装置。
【請求項９】
静磁場発生装置と、傾斜磁場発生手段と、高周波磁場を発生する照射コイルと、核磁気共鳴信号を受信する受信コイルと、断層画像を作成する画像作成手段とを有する磁気共鳴イメージング装置において、
上記静磁場発生装置は、請求項１から８のうちのいずれか一項記載の静磁場発生装置であることを特徴とする磁気共鳴イメージング装置。
【手続補正書】
【提出日】平成17年1月26日(2005.1.26)
【手続補正１】
【補正対象書類名】明細書
【補正対象項目名】特許請求の範囲
【補正方法】変更
【補正の内容】
【特許請求の範囲】
【請求項１】
股部に接するメッシュ状の高吸水性を有する外生地２の端縁と、吸水性を有する内生地３の端縁とを縫い合わせて内側布４を成形し、吸水性を有する外側布１の側縁の太腿の付け根に密着する部位に、襞を付し尿液の横漏れを防止するためのダム部５を成形すると共に、ダム部５を除く外側布１の側縁と、内側布４の側縁とを縫い合わせ、ダム部５と内側布４の内生地３との間に形成される空間から、綿シート又は吸水性ポリマー製の吸水材８を挿入することを特徴とする尿取りパッド。
【請求項２】
股部に接するメッシュ状の高吸水性を有する外生地２の端縁と、吸水性を有する内生地３の端縁とを縫い合わせて内側布４を成形し、吸水性を有する外側布１の縦方向の端縁における太腿の付け根に密着する部位に、襞を付し尿液の横漏れを防止するためのダム部５を成形すると共に、外側布１の横方向の端縁と、内側布４の横方向の側縁とを開放して開口部７と８を形成し、且つダム部５を除く外側布１の縦方向の端縁と、内側布４の縦方向の端縁とを縫い合わせ、ダム部５と内側布４の内生地３との間に形成される空間から、開口部７若しくは開口部８から、綿シート又は吸水性ポリマー製の吸水材８を挿入することを特徴とする尿取りパッド。
【手続補正書】
【提出日】平成16年8月16日(2004.8.16)
【手続補正１】
【補正対象書類名】明細書
【補正対象項目名】特許請求の範囲
【補正方法】変更
【補正の内容】
【特許請求の範囲】
【請求項１】
光触媒粒子と熱可塑性樹脂とを含む光触媒機能性組成物であって、光触媒粒子が、一次粒子内にチタン−酸素−珪素結合が存在した混晶を含み、ＢＥＴ比表面積をＡｍ２／ｇ、ＳｉＯ２含量をＢ質量％としたとき、Ｂ／Ａが０．０２〜０．５である超微粒子混晶酸化物であり、熱可塑性樹脂がポリスチレンであることを特徴とする光触媒機能性組成物。
【請求項２】
光触媒粒子のＢＥＴ比表面積が、１０〜２００ｍ２／ｇである請求項１に記載の光触媒機能性組成物。
【請求項３】
光触媒粒子が、アナターゼ型酸化チタンを含むものである請求項１または２に記載の光触媒機能性組成物。
【請求項４】
光触媒粒子が、硫化水素を６０体積ｐｐｍ含有する５Ｌの乾燥空気中で、直径９ｃｍの平面上に均一に敷かれた３．５ｇの該粉末に、ブラックライトで波長３６５ｎｍの紫外線強度が０．２５ｍＷ／ｃｍ２となるように光を照射したとき、照射３０分後の硫化水素の分解率が７０％以上となる光触媒活性を有するものである請求項１乃至３に記載の光触媒機能性組成物。
【請求項５】
請求項１乃至４のいずれか１項に記載の光触媒機能性組成物を成形してなる光触媒機能性成形体。
【請求項６】
請求項１乃至４のいずれか１項に記載の光触媒機能性組成物からなる層を基材の表面に形成した光触媒機能性成形体。
【請求項７】
光触媒機能性成形体が、繊維、糸、フィルム、シート、テープ、型物製品、及び中空体から選ばれる請求項５または６に記載の光触媒機能性成形体。
【請求項８】
請求項１乃至４のいずれか１項に記載の光触媒機能性組成物を成形してなる繊維、糸、フィルム、シート、テープ、型物製品又は中空体を表面層とした光触媒機能性多層構造体。
【請求項９】
請求項１乃至４のいずれか１項に記載の光触媒機能性組成物を成形してなる繊維、糸、フィルム、シート、テープ、型物製品又は中空体と接着剤層とからなる光触媒機能性多層構造体。
【請求項１０】
請求項１乃至４のいずれか１項に記載の光触媒機能性組成物を成形してなる繊維、フィルム、シート又はテープからなる表面層と接着剤層とからなる光触媒機能性多層構造体。
【請求項１１】
請求項８乃至９に記載の光触媒機能性多層構造体において、接着層を介して剥離可能な保護フィルムを設けたことを特徴とする、光触媒機能性多層構造体。
【請求項１２】
請求項５乃至７のいずれか１項に記載の光触媒機能性成形体又は請求項８乃至１１のいずれか１項に記載の光触媒機能性多層構造体を具備した金属、コンクリート、ガラス、陶器、紙、プラスチック、木材または皮。
【請求項１３】
請求項５乃至７のいずれか１項に記載の光触媒機能性成形体又は請求項８乃至１１のいずれか１項に記載の光触媒機能性多層構造体を具備した内外装建材、機械、車両内外装材、ガラス製品、家電製品、農業資材、電子機器、工具、食器、風呂用品、トイレ用品、家具、衣類、織布、不織布、布製品、革製品、紙製品、スポーツ用品、蒲団、容器、眼鏡、看板、配管、配線、金具、衛生資材、または自動車用品。
【請求項１４】
請求項１乃至４のいずれか１項に記載の光触媒機能性組成物を他の熱可塑性樹脂と共に成形機に供給して成形することにより、請求項８乃至９に記載の光触媒機能性多層構造体を製造する方法。
【請求項１５】
請求項１乃至４のいずれか１項に記載の光触媒機能性組成物を、成形機内において基材と一体化させることにより、請求項８乃至９に記載の光触媒機能性多層構造体を製造する方法。
【請求項１６】
請求項１乃至４のいずれか１項に記載の光触媒機能性組成物を成形してなる繊維、糸、フィルム、シート、テープ、型物製品又は中空体を、他の熱可塑性樹脂又は他の熱可塑性樹脂からなる成形体と成形機内において一体化させることにより、請求項８乃至９に記載の光触媒機能性多層構造体を製造する方法。
【請求項１７】
請求項１乃至４のいずれか１項に記載の光触媒機能性組成物を成形してなる繊維、糸、フィルム、シート、テープ、型物製品又は中空体を、接着剤を介して基体に貼付することを特徴とする、請求項８乃至９に記載の光触媒機能性多層構造体を製造する方法。
【手続補正書】
【提出日】平成16年9月2日(2004.9.2)
【手続補正１】
【補正対象書類名】明細書
【補正対象項目名】００２７
【補正方法】変更
【補正の内容】
【００２７】
また、光学補償フィルター付き欠陥検査装置１０は、ＣＣＤカメラ１８で得られた輝度信号をデジタルデータとしてＡＤ変換して画像データとするコンピュータから成るデータ処理装置３８に接続される。データ処理装置３８は、得られた画像から、欠陥部分の輝点の最も高い１画素の位置または複数画素の範囲を指定して、所定の視角（入射角）θ1および所定の方位角θ2での輝度値を得ることができる。複数画素の範囲を指定する場合、輝度値の平均値を得る。また、上記方法によって指定された位置や指定された範囲の輝度信号値を得てもよい。
また、θ1ステージ２８を調整して視角（入射角）θ1を変化させて、欠陥部分の輝点の輝度値の変化を測定し、後述する図５（Ｂ）に示すような、欠陥部分の輝点の輝度値のみの視角依存性を得ることができる。
【手続補正２】
【補正対象書類名】明細書
【補正対象項目名】００２９
【補正方法】変更
【補正の内容】
【００２９】
まず、偏光子１２ａと光学補償フィルター１４の間に被検査フィルムＦを挿入し、偏光子１２ａ、被検査フィルムＦ、光学補償フィルター１４および偏光子１２ｂを平行に配置した測定層Ｌを形成し、θ2ステージ３４上に載置固定する。さらに偏光子１２ａの外側に直径１ｍｍの孔の開いた図示されない金属板を重ね、予め目視することによって注目する欠陥部分を上記直径１ｍｍの孔に合わせる。この配置関係を維持したまま、Ｚステージ２２により、基台２０に対する高さ方向の位置を調整して、ＣＣＤ素子の配列される受光面に適切に結像するように調整する。
さらに、θ2ステージ３４により、方位角θ2を所望の値に調整する。位相差膜、例えば液晶用視野角改善フィルムの場合、可撓性支持体上に液晶を塗布する際の液晶の塗布ムラや、ラビング処理を行う際の配向の乱れ等による欠陥は、方位角θ2によって視角依存性を適切に得ることができない場合があるからである。方位角θ2の調整方法は、ＣＣＤカメラ１８によって撮影された画像をデータ処理装置３８に付属する図示されない画像表示装置に撮影画像を表示させ、欠陥部分の輝点の輝度値の最も高くなる方位角θ2 を探し出す。
【手続補正３】
【補正対象書類名】明細書
【補正対象項目名】００３０
【補正方法】変更
【補正の内容】
【００３０】
つぎに、定まった方位角θ2を維持したまま、視角（入射角）θ1を−６０度から＋６０度の範囲で、ロタリーエンコーダ３２から送られてくる回転角度のパルス信号を読み取って視角θ1を設定し、目視によって金属板の直径１ｍｍの孔に位置合わせして欠陥部分の輝点を含んだ像をＣＣＤカメラ１８によって撮影する。撮影した像の輝度信号はデータ処理装置３８に送られ、ＡＤ変換やＬＯＧ変換等を行って画像データとし、図示されない画像表示装置に表示する。オペレータは、表示された画像から欠陥部分の輝点を、マウスやキーボード等による入力系により画素単位あるいは複数の画素単位で指示し、欠陥部分の輝点の輝度値を測る。
【手続補正４】
【補正対象書類名】明細書
【補正対象項目名】符号の説明
【補正方法】変更
【補正の内容】
【符号の説明】
１０  光学補償フィルター付き欠陥検査装置
１２ａ、１２ｂ  偏光子
１４  光学補償フィルター
１６  光源
１８  ＣＣＤカメラ
２０  基台
２２  Ｚステージ
２４、３０、３６  手動つまみ
２６  対物レンズ
２８  θ1ステージ
３２  ロータリーエンコーダ
３４  θ2ステージ
３８  データ処理装置
４０、４４  屈折率楕円体
４２  透過光
【手続補正書】
【提出日】平成17年6月17日(2005.6.17)
【手続補正１】
【補正対象書類名】明細書
【補正対象項目名】０００５
【補正方法】変更
【補正の内容】
【０００５】
従来、二重がま口構造を有しない他の種類の財布においては、カードを収納するための専用の収納部を設けたものが種々提案されている。そこで、本願発明者は、二重がま口構造の財布においても、そのような財布と同様に、カード用の収納部を設けることを着想した。ところが、二重がま口構造の財布にカード用の収納部を設ける場合、これに起因して財布の製造コストが大幅に上昇しないようにすることが要請される。また、がま口構造の財布は、二重がま口構造の財布に限らず、一般には口金以外のシート部分が柔らかく、このシート部分を大きく撓ませながらこの財布の開口部を大きく開口させることによって、小銭などの取り出しを容易に行うことができる点に大きな特長がある。さらには、財布の開口部を開口させた状態において、財布のシート部分を大きく押し広げたり、あるいはその底部を上方へ押し上げることなどによっても、小銭類の取り出しを容易に行うこともできる。したがって、二重がま口構造の財布にカードを収納させる場合には、そのような利点を損なわないようにする必要もある。
【手続補正２】
【補正対象書類名】明細書
【補正対象項目名】００２７
【補正方法】変更
【補正の内容】
【００２７】
上記ポケット用シート片３０の両側縁部３０ａ，３０ａの上部は、図３によく表れているように、上記口金２１ａの断面略Ｕ字状の溝型形状部分によって上記シート片２２ａの側縁部２２a"，２２a"に挟み付けられている。図１において、上記両側縁部３０ａ，３０ａのうち、上記口金２１ａによってシート片２２ａに挟み付けられた部分よりも下方の部分は、たとえば両面テープや接着剤（図示略）を介して上記シート片２２ａと接着されている。むろん、本願発明では、上記口金２１ａによって挟み付けられている部分についても、両面テープや接着剤を用いて予備的に接着していてもかまわない。さらに、両面接着テープや接着剤を用いる手段に代えて、縫い糸を用いて縫着する手段を適用することもできる。上記ポケット用シート片３０の下部は、図２によく表れているように、上記一対のシート片２２ａ，２２ｂの下部に重ね合わされて外がま口１の内装材１２a"，１２b"の一側縁に縫着され、閉塞状態とされている。
【手続補正３】
【補正対象書類名】図面
【補正対象項目名】図２
【補正方法】変更
【補正の内容】
【図２】
2000004916.tif 000001
【手続補正４】
【補正対象書類名】図面
【補正対象項目名】図３
【補正方法】変更
【補正の内容】
【図３】
2000004916.tif 000002
【手続補正５】
【補正対象書類名】図面
【補正対象項目名】図５
【補正方法】変更
【補正の内容】
【図５】
2000004916.tif 000003
【手続補正書】
【提出日】平成17年6月16日(2005.6.16)
【手続補正１】
【補正対象書類名】明細書
【補正対象項目名】請求項１
【補正方法】変更
【補正の内容】
【請求項１】
茶樹畝を跨いで茶葉を摘採可能な刈刃を備え、その刈刃により摘採された茶葉を刈刃後部に位置する袋に収納する構成を備えた茶葉摘採機において、
上記刈刃後部にて該刈刃による刈幅中央位置を境にして左右および上下各段にそれぞれ設けられている茶葉収納袋を備え、
上記上下各段に位置する茶葉収納袋は、それぞれの開口が個別に上記刈刃後部に対面するように切り換え可能に配置されていることを特徴とする茶葉摘採機。
【手続補正２】
【補正対象書類名】明細書
【補正対象項目名】０００６
【補正方法】変更
【補正の内容】
【０００６】
【課題を解決するための手段】
この目的を達成するため、請求項１記載の発明は、茶樹畝を跨いで茶葉を摘採可能な刈刃を備え、その刈刃により摘採された茶葉を刈刃後部に位置する袋に収納する構成を備えた茶葉摘採機において、上記刈刃後部にて該刈刃による刈幅中央位置を境にして左右および上下各段にそれぞれ設けられている茶葉収納袋を備え、上記上下各段に位置する茶葉収納袋は、それぞれの開口が個別に上記刈刃後部に対面するように切り換え可能に配置されていることを特徴とする。
【手続補正３】
【補正対象書類名】明細書
【補正対象項目名】００１３
【補正方法】変更
【補正の内容】
【００１３】
ここで、前記左右のレール２，２上を転動する左右の前輪７及び後輪９は、転動面であるＵ字溝の両側が脱輪防止用のツバを兼用するものであるが、左右のレール２，２の間隔に多少の広狭があっても対応できるようにするため、本実施例では片側（例えば左側）の前輪７はＵ字溝の幅が広く設定され、レール２に対して左右方向にそれぞれ５ｃｍ程度ずつ相対移動可能となっている。これに対応して片側（左側）の後輪９は、後輪支持ベース１０の両壁間に回転自在に横架された駆動軸１１（図３参照）に対しその長手方向に摺動自在に嵌合し、この後輪９は、その両側に配置して駆動軸１１に巻装された左右のコイルスプリング（図示せず）により駆動軸１１の長手方向中央部にフローティング支持されており、コイルスプリングに抗して左右方向にそれぞれ５ｃｍ程度づつ移動可能となっている。
【手続補正４】
【補正対象書類名】明細書
【補正対象項目名】００１５
【補正方法】変更
【補正の内容】
【００１５】
なお、前記前輪支持ベース８の前端には、軌道式茶葉摘採機の前進端で作動して前記後輪駆動モータ１３の回転を停止するリミットスイッチ１６（一方のみ図示）が設置され、また台車サイドフレーム６の後部付近には、軌道式茶葉摘採機の後退端で作動して後輪駆動モータ１３の回転を一旦低下させた後に停止させる２段階作動式のリミットスイッチ（図示せず）が設置されている。
【手続補正５】
【補正対象書類名】明細書
【補正対象項目名】００１９
【補正方法】変更
【補正の内容】
【００１９】
同様に、前記後部門型フレーム４ｄの横フレームにおいても、一方の部分横フレーム４ｉの上面には減速ギヤボックス２１とベアリングケース２２とが固定され、他方の部分横フレーム４ｊの上面にはナット２３が固定されており、このナット２３にはネジシャフト２４が螺合し、その基端部はベアリングケース２２に回転自在に支持されている。そしてこのネジシャフト２４の基端部はジョイントを介して減速ギヤボックス２１の出力軸に連結されている。
【手続補正６】
【補正対象書類名】明細書
【補正対象項目名】００２１
【補正方法】変更
【補正の内容】
【００２１】
一方、前記門型フレーム４の左右両側には、前後方向に延びる左右一対の昇降フレーム２７，２７（片方のみ図示）が配置されている。この昇降フレーム２７は、前部門型フレーム４ｃの縦フレーム４ｅの外側面に付設されて上下方向に延びる角形断面のガイドパイプ２８及び後部門型フレーム４ｄの縦フレーム４ｆに案内されて昇降駆動されるもので、その前端部には、前後上下に配置されて上記ガイドパイプ２８を前後方向から挟持する４つの転動輪３１（図２に図示）が左右の支持板３０，３０を介して回転自在に支持され、またその後端部には、前後上下に配置されて後部門型フレーム４ｄの縦フレーム４ｆを前後方向から挟持する４つの転動輪３１が支持板３２を介して回転自在に支持されている。なお、図示省略した反対側の昇降フレーム２７も同様に構成されている。
【手続補正７】
【補正対象書類名】明細書
【補正対象項目名】００３０
【補正方法】変更
【補正の内容】
【００３０】
一方、茶葉収納袋Ｆ１、Ｆ２が上下各段の茶葉収納部５０、５１に設置されると、作業者により１条の茶畝長さおよび茶葉収納袋の容量が操作パネル１０１から入力される。なお、この場合、茶葉摘採機は茶畝の摘採開始位置にあり、シリンダ５６は初期態位とされているので、図７に示すように、下段の茶葉収納部５０に位置する茶葉収納袋Ｆ１の開口が茶葉摘採装置５のバリカン刃４４の後部に対面している。
操作パネル１０１においてこれら情報が入力されると、制御部１００では、図６に示す処理が実行される。
図６において、制御部１００では、入力された１条の茶畝長さおよび茶袋の容量に基づいて摘採可能な移動量が割り出される（ＳＴ１）。
摘採作業が開始されると、図７に示すように、下段の茶葉収納部５０で左右に位置する茶葉収納袋Ｆ１に対してバリカン刃４４によって摘採された茶葉が振り分けられて収納される。
茶葉摘採機が茶畝を移動すると、その移動距離が距離計１０２により判別され（ＳＴ２）、制御部１００にて割り出された摘採可能な移動距離に達すると距離計１０２から制御部１００に信号が出力される。
制御部１００では、割り出した摘採可能な移動距離に達した場合、シリンダ５６のロッド５６Ａを伸長させる信号を駆動部１０４（図５参照）に出力する（ＳＴ３、ＳＴ４）。
【手続補正８】
【補正対象書類名】明細書
【補正対象項目名】００３２
【補正方法】変更
【補正の内容】
【００３２】
一方、距離計１０２からの信号によりシリンダ５６が作動されると下段に位置する茶葉収納袋Ｆ１から上段の茶葉収納袋Ｆ２に切り換えられて茶葉が収納されるが、上段に位置する茶葉収納袋Ｆ２内も摘採茶葉により満たされた場合には重量センサ１０３からの信号により警告が行われ（ＳＴ３、ＳＴ５）、この時点で摘採開始位置に戻って茶葉収納袋の交換を行うようにすることができる。なお、茶葉袋Ｆ１、Ｆ２が交換された時点には、シリンダ５６が初期態位に復帰させられる。また、制御部１００では、距離計１０２からの信号によりシリンダ５６の態位切換が行われる際、重量センサ１０３により茶葉収納袋Ｆ１、Ｆ２の総重量を検知しているので、茶葉収納袋Ｆ１、Ｆ２が一杯であるにも拘わらず、距離計１０２が誤動作した場合に誤って摘採作業が継続されてしまうのを防止することができるようになっている。
【手続補正９】
【補正対象書類名】図面
【補正対象項目名】図２
【補正方法】変更
【補正の内容】
【図２】
2000004644.tif 000001
【手続補正１０】
【補正対象書類名】図面
【補正対象項目名】図４
【補正方法】変更
【補正の内容】
【図４】
2000004644.tif 000002
【手続補正１１】
【補正対象書類名】図面
【補正対象項目名】図６
【補正方法】変更
【補正の内容】
【図６】
2000004644.tif 000003
【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
複数の棒状結晶を含む珪素膜を形成する工程と、
前記珪素膜から前記複数の棒状結晶を含む複数の島状半導体層を形成する工程と、
前記複数の島状半導体層を活性層とする複数のＴＦＴで半導体回路を形成する工程と、を有し、
前記活性層のチャネル形成領域は前記複数の棒状結晶のいずれか一本の内側に収まる様にして形成されることを特徴とする半導体装置の作製方法。
【請求項２】
複数の棒状結晶を含む珪素膜を形成する工程と、
前記珪素膜から前記複数の棒状結晶を含む複数の島状半導体層を形成する工程と、
前記複数の島状半導体層を活性層とする複数のＴＦＴで半導体回路を形成する工程と、を有し、
前記活性層のチャネル形成領域は前記複数の棒状結晶が形成する結晶粒界を含まない様にして形成されることを特徴とする半導体装置の作製方法。
【請求項３】
複数の棒状結晶を含む珪素膜を形成する工程と、
前記珪素膜から前記複数の棒状結晶を含む複数の島状半導体層を形成する工程と、
前記複数の島状半導体層を活性層とする複数のＴＦＴで半導体回路を形成する工程と、を有し、
前記活性層のチャネル形成領域及びソース／ドレイン接合部は前記複数の棒状結晶のいずれか一本の内側に収まる様にして形成されることを特徴とする半導体装置の作製方法。
【請求項４】
複数の棒状結晶を含む珪素膜を形成する工程と、
前記珪素膜から前記複数の棒状結晶を含む複数の島状半導体層を形成する工程と、
前記複数の島状半導体層を活性層とする複数のＴＦＴで半導体回路を形成する工程と、を有し、
前記活性層のチャネル形成領域及びソース／ドレイン接合部は前記複数の棒状結晶が形成する結晶粒界を含まない様にして形成されることを特徴とする半導体装置の作製方法。
【請求項５】
複数の棒状結晶を含む珪素膜を形成する工程と、
前記珪素膜から前記複数の棒状結晶を含む複数の島状半導体層を形成する工程と、
前記複数の島状半導体層を活性層とする複数のＴＦＴで半導体回路を形成する工程と、を有し、
互いに同一サイズのＴＦＴのチャネル形成領域は、当該チャネル形成領域の内部において前記複数の棒状結晶の本数が同一となる様に形成されることを特徴とする半導体装置の作製方法。
【請求項６】
複数の棒状結晶を含む珪素膜を形成する工程と、
前記珪素膜から前記複数の棒状結晶を含む複数の島状半導体層を形成する工程と、
前記複数の島状半導体層を活性層とする複数のＴＦＴで半導体回路を形成する工程と、を有し、
互いに同一サイズのＴＦＴのチャネル形成領域は、当該チャネル形成領域の内部において前記複数の棒状結晶が形成する結晶粒界の本数が同一となる様に形成されることを特徴とする半導体装置の作製方法。
【請求項７】
請求項１乃至請求項６において、前記複数の棒状結晶を含む珪素膜を形成する工程は、棒状結晶同士で互いに結晶成長を阻害させる領域と棒状結晶を特定の方向へ成長させる領域とを有するように設けられたことを特徴とする半導体装置の作製方法。
【手続補正書】
【提出日】平成16年11月5日(2004.11.5)
【手続補正１】
【補正対象書類名】明細書
【補正対象項目名】請求項１
【補正方法】変更
【補正の内容】
【請求項１】
入手した番組案内データに基づいて番組案内表示画面を作成し放送受信装置の画面に表示する番組案内表示方法において、
予め番組案内の複数の表示方法を記憶し、
前記複数の表示方法の中から選択された表示方法により前記番組案内データに基づいて番組案内表示画面を作成することを特徴とする番組案内表示方法。
【手続補正２】
【補正対象書類名】明細書
【補正対象項目名】請求項２
【補正方法】変更
【補正の内容】
【請求項２】
入手した番組案内データに基づいて番組案内表示画面を作成し画面に表示する放送受信装置において、
予め番組案内の複数の表示方法を記憶する表示方法記憶手段と、
前記複数の表示方法の選択を入力する選択入力手段と、
前記選択入力手段から入力された表示方法により前記番組案内データに基づいて番組案内表示画面を作成する番組案内表示制御部と、
を備えたことを特徴とする放送受信装置。
【手続補正３】
【補正対象書類名】明細書
【補正対象項目名】０００９
【補正方法】変更
【補正の内容】
【０００９】
【課題を解決するための手段】
上記目的を達成するために本発明は、入手した番組案内データに基づいて番組案内表示画面を作成し放送受信装置の画面に表示する番組案内表示方法において、予め番組案内の複数の表示方法を記憶し、前記複数の表示方法の中から選択された表示方法により前記番組案内データに基づいて番組案内表示画面を作成することを要旨とする番組案内表示方法である。
【手続補正４】
【補正対象書類名】明細書
【補正対象項目名】００１０
【補正方法】変更
【補正の内容】
【００１０】
また本発明は、入手した番組案内データに基づいて番組案内表示画面を作成し画面に表示する放送受信装置において、予め番組案内の複数の表示方法を記憶する表示方法記憶手段と、前記複数の表示方法の選択を入力する選択入力手段と、前記選択入力手段から入力された表示方法により前記番組案内データに基づいて番組案内表示画面を作成する番組案内表示制御部と、を備えたことを要旨とする放送受信装置である。
【手続補正書】
【提出日】平成16年11月10日(2004.11.10)
【手続補正１】
【補正対象書類名】明細書
【補正対象項目名】００１３
【補正方法】変更
【補正の内容】
【００１３】
又、組立時に交点Ｃｘのばらつきによって、振幅が大きくなり過ぎた場合に騒音が発生したり、ばね寿命が劣化されてしまうのは、軸振れを伴う磁気回路の変位動作にあってダンパ３８と当接される中心軸３４の抜け止め部３４ａの形状（ダンパ３８との当接面積が大きい断面形状が矩形の鍔部になっている）が要因となっており、この部分の構造上の改良も望まれている。
【手続補正書】
【提出日】平成17年6月17日(2005.6.17)
【手続補正１】
【補正対象書類名】明細書
【補正対象項目名】００３３
【補正方法】変更
【補正の内容】
【００３３】
また、ω６系不飽和脂肪酸としては、9, 12-オクタデカジエン酸 (リノール酸) ［18：2,ω6 ］、6, 9, 12- オクタデカトリエン酸 (γ- リノレン酸) ［18：3,ω6 ］、8, 11, 14-エイコサトリエン酸 (ジホモ- γ- リノレン酸) ［20：3,ω6 ］、5, 8, 11, 14- エイコサテトラエン酸 (アラキドン酸) ［20：4,ω6 ］、7, 10, 13, 16-ドコサテトラエン酸［22：4,ω6 ］、4, 7, 10, 13, 16, - ドコサペンタエン酸［22：5,ω6 ］を挙げることができる。さらに、ω９系不飽和脂肪酸としては、6, 9- オクタデカジエン酸［18：2,ω9 ］、8, 11-エイコサジエン酸［20：2,ω9 ］、5, 8, 11- エイコサトリエン酸 (ミード酸) ［20：3,ω9 ］挙げることができる。さらに、アシル基はヒドロキシル化、エポキシ化、又はヒドロキシエポキシ化されたアシル基であっても構わない。
本発明の新規なトリグリセリドの２位を構成する脂肪酸は、炭素数１６〜１８の脂肪酸からなる。例えば、パルミチン酸 (16：0 ）、ステアリン酸 (18：0 ）を挙げることができる。
【手続補正書】
【提出日】平成17年5月9日(2005.5.9)
【手続補正１】
【補正対象書類名】明細書
【補正対象項目名】特許請求の範囲
【補正方法】変更
【補正の内容】
【特許請求の範囲】
【請求項１】
細胞を支持する細胞支持基材であって、
該細胞支持基材に複数の巨大孔が形成されているとともに、
該細胞支持基材の一端面および前記巨大孔の内面から内部に向かって孔径が減少するような連通孔が形成されていることを特徴とする細胞支持基材。
【請求項２】
前記連通孔の孔径は支持する目的細胞の径より大きい孔径から小さい孔径まで分布している請求項１に記載の細胞支持基材。
【請求項３】
細胞を支持する細胞支持基材であって、
該細胞支持基材に複数の巨大孔と連通孔とが形成され、
前記連通孔の孔径は支持する目的細胞の径より大きい孔径と小さい孔径との間に分布していることを特徴とする細胞支持基材。
【請求項４】
前記巨大孔は前記一端面に開放しているものを含んでいる請求項１ないし３のいずれかに記載の細胞支持基材。
【請求項５】
前記巨大孔は指状構造をなすものである請求項１ないし４のいずれかに記載の細胞支持基材。
【請求項６】
他端部に多孔質のスキン層を有する請求項１ないし５のいずれかに記載の細胞支持基材。
【請求項７】
前記スキン層の平均孔径は前記連通孔の平均孔径よりも小さい請求項１ないし６のいずれかに記載の細胞支持基材。
【請求項８】
伸縮性を有するものである請求項１ないし７のいずれかに記載の細胞支持基材。
【請求項９】
請求項１ないし８のいずれかに記載の細胞支持基材を有し、該細胞支持基材で目的細胞を支持し、培養することを特徴とする培養装置。
【請求項１０】
請求項１ないし９のいずれかに記載の細胞支持基材を有し、該細胞支持基材に液体を通過させ、該細胞支持基材で支持した細胞の代謝・合成機能により前記液体を処理することを特徴とする液体処理装置。
【手続補正書】
【提出日】平成17年2月4日(2005.2.4)
【手続補正１】
【補正対象書類名】明細書
【補正対象項目名】０００２
【補正方法】変更
【補正の内容】
【０００２】
【従来の技術】
牛などの反すう動物は、摂取した飼料中の炭水化物をルーメン内に存在する無数の微生物やプロトゾア（原生動物）の消化酵素により分解し、酢酸、プロピオン酸および酪酸などの揮発性脂肪酸（ＶＦＡ）、メタンや二酸化炭素等を産生するが、この過程をルーメン発酵と言う〔板橋久雄、家畜診療、１９８６年〕。また、この際、タンパク質の分解産物としてアンモニア等も発生する。
【手続補正２】
【補正対象書類名】明細書
【補正対象項目名】００１４
【補正方法】変更
【補正の内容】
【００１４】
本発明においてルーメン発酵調整用組成物としては、フィターゼを動物用医薬品用錠剤、動物用医薬品用カプセル剤等に含有させた医薬用組成物、フィターゼと各種栄養素を混合したフィターゼ添加用組成物、フィターゼ単独または該フィターゼ添加用組成物を飼料と混合したフィターゼ混合飼料があげられる。動物医薬品用錠剤は、通常動物用医薬品に用いられるものであればどのようなものでもよく、主剤であるフィターゼ以外に、乳糖、白糖等の糖類、デンプン等からなるふ形剤、ゼラチン、メチルセルロース等からなる結合剤、タルク、ステアリン酸マグネシウム等からなる滑沢剤を含んでいても良い。